(57)【要約】【課題】画質を高めることができる表示装置を得る。【解決手段】複数の単位画素にそれぞれ対応づけられた第１の電極と、液晶層と、液晶層を挟んで第１の電極とは反対側に設けられた第２の電極とを有する液晶表示部と、バックライトと、液晶表示部とバックライトとの間に挿入された光線制御部とを備える。各単位画素は、配向方向が互いに異なる複数のドメイン、または単一のドメインを有し、第１の電極は複数のドメインのそれぞれまたは単一のドメインにおいて一様に形成されている。【選択図】図７
2014016417.tif 000002
【特許請求の範囲】
【請求項１】
複数の単位画素にそれぞれ対応づけられた第１の電極と、液晶層と、前記液晶層を挟んで前記第１の電極とは反対側に設けられた第２の電極とを有する液晶表示部と、
バックライトと、
前記液晶表示部と前記バックライトとの間に挿入された光線制御部と
を備え、
各単位画素は、液晶配向が互いに異なる複数のドメイン、または単一のドメインを有し、
前記第１の電極は、前記複数のドメインのそれぞれまたは前記単一のドメインにおいて一様に形成されている
表示装置。
【請求項２】
前記単位画素は複数のドメインを有し、
前記複数のドメインは、それぞれが１つの連続領域として構成されている
請求項１に記載の表示装置。
【請求項３】
前記液晶表示部は、
前記液晶層と前記第１の電極との間に設けられ、前記液晶配向を定める複数の第１の配向領域を含む第１の配向膜と、
前記液晶層と前記第２の電極との間に設けられ、前記液晶配向を定める複数の第２の配向領域を含む第２の配向膜と
を有し、
前記ドメインは、前記第１の配向領域および前記第２の配向領域により画定される領域である
請求項２に記載の表示装置。
【請求項４】
前記第１の配向膜は、前記単位画素に対応する領域において、並設された２つの前記第１の配向領域を含み、
前記第２の配向膜は、前記単位画素に対応する領域において、前記第１の配向領域の並設方向と交差する方向に並設された２つの前記第２の配向領域を含み、
各単位画素は、４つのドメインを有する
請求項３に記載の表示装置。
【請求項５】
前記液晶表示部は、前記第１の電極と前記液晶層との間に設けられた第３の電極を有し、
前記第３の電極は、互いに同じ方向に延伸する枝部分を含む枝領域を複数有し、
前記ドメインは、前記枝領域に対応する領域である
請求項２に記載の表示装置。
【請求項６】
前記第３の電極は、
第１の幹部分と、
前記第１の幹部分と交差する第２の幹部分と
をさらに有し、
前記枝領域は、前記第１の幹部分および前記第２の幹部分により分けられた４つの領域であり、
前記枝部分は、前記第１の幹部分および前記第２の幹部分から、前記枝領域間で互い異なる方向に延伸する
請求項５に記載の表示装置。
【請求項７】
前記第１の電極は１または２の第１のスリットを有し、
前記第２の電極は、前記単位画素に対応する領域内において、前記１または２の第１のスリットとは異なる部分に形成された１または２の第２のスリットを有し、
前記ドメインは、前記１または２の第１のスリットおよび前記１または２の第２のスリットにより画定される領域である
請求項２に記載の表示装置。
【請求項８】
前記第１の電極は１つの前記第１のスリットを有し、
前記第２の電極は、前記単位画素に対応する領域のうち、前記第１のスリットにより分けられた２つの領域のそれぞれにおいて、１つの前記第２のスリットを有する
請求項７に記載の表示装置。
【請求項９】
前記第２の電極は、前記単位画素に対応する部分にホールを有し、
前記ドメインは、前記ホールの周りに配置された領域である
請求項２に記載の表示装置。
【請求項１０】
前記単位画素は単一のドメインを有し、
前記液晶層はＴＮ液晶であり、
前記ドメインは、前記単位画素に対応する領域である
請求項１に記載の表示装置。
【請求項１１】
前記単位画素は複数のドメインを有し、
前記複数のドメインの面積は、互いにほぼ等しい
請求項１に記載の表示装置。
【請求項１２】
前記液晶表示部は、複数の画素を有し、
前記画素は、それぞれが複数のサブ画素を有し、
前記サブ画素は、複数の前記単位画素を有する
請求項１に記載の表示装置。
【請求項１３】
前記液晶表示部は、複数の画素を有し、
前記画素は、それぞれが複数のサブ画素を有し、
前記サブ画素は、前記単位画素である
請求項１に記載の表示装置。
【請求項１４】
前記光線制御部は、光を透過または遮断するバリア部である
請求項１に記載の表示装置。
【請求項１５】
前記バリア部は、第１の方向に延伸するとともに第２の方向に交互に並設された、複数の第１系列の液晶バリアおよび複数の第２系列の液晶バリアを有する
請求項１４に記載の表示装置。
【請求項１６】
第１のモードおよび第２のモードを含む複数の表示モードを有し、
前記第１のモードでは、前記液晶表示部は複数の視点画像を表示し、前記バリア部は、前記複数の第１系列の液晶バリアを透過状態にするとともに、前記複数の第２系列の液晶バリアを遮断状態にすることにより、各視点画像に向かう光線を、それぞれ対応する角度方向に規制するように動作し、
前記第２のモードでは、前記液晶表示部は単一の視点画像を表示し、前記バリア部は、前記複数の第１系列の液晶バリアおよび前記複数の第２系列の液晶バリアを透過状態にすることにより、前記単一の視点画像に向かう光線をそのまま透過させるように動作する
請求項１５に記載の表示装置。
【請求項１７】
前記複数の第１系列の液晶バリアのそれぞれの幅は、前記第２の方向における前記単位画素のピッチとほぼ等しい
請求項１５に記載の表示装置。
【請求項１８】
複数の単位画素にそれぞれ対応づけられた第１の電極と、液晶層と、前記液晶層を挟んで前記第１の電極とは反対側に設けられた第２の電極とを有する液晶表示部と、
バックライトと、
前記液晶表示部と前記バックライトとの間に挿入された光線制御部と
を備え、
前記第１の電極は、前記単位画素のそれぞれにおいて一様に形成され、
前記第２の電極は、前記単位画素に対応する部分にホールを有する
表示装置。
【請求項１９】
表示装置と
前記表示装置を利用した動作制御を行う制御部と
を備え、
前記表示装置は、
複数の単位画素にそれぞれ対応づけられた第１の電極と、液晶層と、前記液晶層を挟んで前記第１の電極とは反対側に設けられた第２の電極とを有する液晶表示部と、
バックライトと、
前記液晶表示部と前記バックライトとの間に挿入された光線制御部と
を有し、
各単位画素は、液晶配向が互いに異なる複数のドメイン、または単一のドメインを有し、
前記第１の電極は、前記複数のドメインのそれぞれまたは前記単一のドメインにおいて一様に形成されている
電子機器。
【発明の詳細な説明】
【技術分野】
【０００１】
本開示は、立体視表示が可能な表示装置、およびそのような表示装置を含んで構成される電子機器に関する。
【背景技術】
【０００２】
近年、立体視表示を実現できる表示装置が注目を集めている。立体視表示は、互いに視差のある（視点の異なる）左眼映像と右眼映像を表示するものであり、観察者が左右の目でそれぞれを見ることにより奥行きのある立体的な映像として認識することができる。また、互いに視差がある３つ以上の映像を表示することにより、観察者に対してより自然な立体映像を提供することが可能な表示装置も開発されている。
【０００３】
このような表示装置は、専用の眼鏡が必要なものと、不要なものとに大別されるが、観察者にとっては専用の眼鏡は煩わしく感じるものであり、専用の眼鏡が不要なものが望まれている。専用の眼鏡が不要な表示装置としては、例えば、パララックスバリア（視差バリア）方式や、レンチキュラーレンズ方式などがある。これらの方式では、互いに視差がある複数の映像（視点映像）を同時に表示し、表示装置と観察者の視点との相対的な位置関係（角度）によって見える映像が異なるようになっている。例えば、特許文献１には、バリアとして液晶素子を用いた、パララックスバリア方式の表示装置が開示されている。
【先行技術文献】
【特許文献】
【０００４】
【特許文献１】特開平３−１１９８８９号公報
【発明の概要】
【発明が解決しようとする課題】
【０００５】
ところで、一般に、表示装置では高画質が望まれ、立体視表示を実現できる表示装置でも同様に、高画質の実現が期待されている。
【０００６】
本開示はかかる問題点に鑑みてなされたもので、その目的は、画質を高めることができる表示装置および電子機器を提供することにある。
【課題を解決するための手段】
【０００７】
本開示の第１の表示装置は、液晶表示部と、バックライトと、光線制御部とを備えている。液晶表示部は、複数の単位画素にそれぞれ対応づけられた第１の電極と、液晶層と、液晶層を挟んで第１の電極とは反対側に設けられた第２の電極とを有するものである。光線制御部は、液晶表示部とバックライトとの間に挿入されたものである。各単位画素は、液晶配向が互いに異なる複数のドメイン、または単一のドメインを有し、第１の電極は、複数のドメインのそれぞれまたは単一のドメインにおいて一様に形成されている。
【０００８】
本開示の第１の表示装置は、液晶表示部と、バックライトと、光線制御部とを備えている。液晶表示部は、複数の単位画素にそれぞれ対応づけられた第１の電極と、液晶層と、液晶層を挟んで第１の電極とは反対側に設けられた第２の電極とを有するものである。光線制御部は、液晶表示部とバックライトとの間に挿入されたものである。上記第１の電極は、単位画素のそれぞれにおいて一様に形成され、第２の電極は、単位画素に対応する部分にホールを有するものである。
【０００９】
本開示の電子機器は、上記表示装置を備えたものであり、例えば、テレビジョン装置、デジタルカメラ、パーソナルコンピュータ、ビデオカメラあるいは携帯電話等の携帯端末装置などが該当する。
【００１０】
本開示の第１の表示装置および電子機器では、バックライトから射出した光が、光線制御部および液晶表示部を介して射出される。その際、光は、液晶表示部において、複数のドメイン、または単一のドメインを有する各単位画素により変調される。この単位画素では、第１の電極は、複数のドメインのそれぞれまたは単一のドメインにおいて、一様に形成されている。
【００１１】
本開示の第２の表示装置では、バックライトから射出し光線制御部を通過した光が、液晶表示部を介して射出される。その際、光は、液晶表示部において、各単位画素により変調される。この単位画素では、第１の電極は、単位画素のそれぞれにおいて一様に形成されている。
【発明の効果】
【００１２】
本開示の第１の表示装置および電子機器によれば、第１の電極を、複数のドメインのそれぞれまたは単一のドメインにおいて一様に形成したので、画質を高めることができる。
【００１３】
本開示の第２の表示装置によれば、第１の電極を、単位画素のそれぞれにおいて一様に形成したので、画質を高めることができる。
【図面の簡単な説明】
【００１４】
【図１】本開示の実施の形態に係る立体表示装置の一構成例を表すブロック図である。
【図２】図１に示した立体表示装置の一構成例を表す説明図である。
【図３】図１に示した表示駆動部の一構成例を表すブロック図である。
【図４】図１に示した表示部の一構成例を表す説明図である。
【図５】図４に示したサブ画素の一構成例を表す回路図である。
【図６】図１に示した表示部の一構成例を表す断面図である。
【図７】第１の実施の形態に係るサブ画素の一構成例を表す説明図である。
【図８】図７に示したサブ画素の一動作例を表す説明図である。
【図９】図１に示したバリア部の一構成例を表す説明図である。
【図１０】図９に示した開閉部のグループ構成例を表す説明図である。
【図１１】図１に示した表示部およびバリア部の関係を表す模式図である。
【図１２】図１に示した立体表示装置の一動作例を表す模式図である。
【図１３】図１に示した立体表示装置の他の動作例を表す模式図である。
【図１４】図１に示した立体表示装置のクロストークを説明するための説明図である。
【図１５】第１の実施の形態に係る表示部の一特性例を表す特性図である。
【図１６】比較例１に係るサブ画素の一構成例を表す説明図である。
【図１７】図１６に示したサブ画素の一動作例を表す説明図である。
【図１８】比較例１に係る表示部の一特性例を表す特性図である。
【図１９】比較例２に係るサブ画素の一構成例を表す説明図である。
【図２０】比較例２に係る表示部の一特性例を表す特性図である。
【図２１】図１に示した立体表示装置のモアレを表す特性図である。
【図２２】図１に示した立体表示装置のモアレを説明するための説明図である。
【図２３】図１に示した立体表示装置のモアレを説明するための他の説明図である。
【図２４】比較例３に係る立体表示装置の一構成例を表す説明図である。
【図２５】図２４に示した立体表示装置のモアレを表す特性図である。
【図２６】第１の実施の形態の変形例に係る表示部の一構成例を表す説明図である。
【図２７】図２６に示したサブ画素の一構成例を表す説明図である。
【図２８】第２の実施の形態に係る表示部の一構成例を表す断面図である。
【図２９】図２８に示したサブ画素の一構成例を表す説明図である。
【図３０】第３の実施の形態に係るサブ画素の一構成例を表す説明図である。
【図３１】第４の実施の形態に係るサブ画素の一構成例を表す説明図である。
【図３２】第５の実施の形態に係る表示部の一構成例を表す断面図である。
【図３３】図３２に示したサブ画素の一構成例を表す説明図である。
【図３４】図３２に示したサブ画素の一動作例を表す説明図である。
【図３５】実施の形態に係る立体表示装置が適用されたテレビジョン装置の外観構成を表す斜視図である。
【発明を実施するための形態】
【００１５】
以下、本開示の実施の形態について、図面を参照して詳細に説明する。なお、説明は以下の順序で行う。
１．第１の実施の形態
２．第２の実施の形態
３．第３の実施の形態
４．第４の実施の形態
５．第５の実施の形態
６．適用例
【００１６】
＜１．第１の実施の形態＞
［構成例］
（全体構成例）
図１は、第１の実施の形態に係る立体表示装置の一構成例を表すものである。立体表示装置１は、液晶バリアを用いた、パララックスバリア方式の表示装置である。立体表示装置１は、制御部４０と、バックライト駆動部４３と、バックライト３０と、バリア駆動部４１と、バリア部１０と、表示駆動部５０と、表示部２０とを備えている。
【００１７】
制御部４０は、外部より供給される映像信号Ｓdispに基づいて、バックライト駆動部４３、バリア駆動部４１、および表示駆動部５０に対してそれぞれ制御信号を供給し、これらがお互いに同期して動作するように制御する回路である。具体的には、制御部４０は、バックライト駆動部４３に対してバックライト制御信号を供給し、バリア駆動部４１に対してバリア制御信号を供給し、表示駆動部５０に対して映像信号Ｓdispに基づいて生成した映像信号Ｓdisp2を供給するようになっている。ここで、映像信号Ｓdisp2は、立体表示装置１が通常表示（２次元表示）を行う場合には、１つの視点映像を含む映像信号Ｓ２Ｄであり、立体表示装置１が立体視表示を行う場合には、後述するように、複数（この例では８つ）の視点映像を含む映像信号Ｓ３Ｄである。
【００１８】
バックライト駆動部４３は、制御部４０から供給されるバックライト制御信号に基づいてバックライト３０を駆動するものである。バックライト３０は、バリア部１０および表示部２０に対して面発光した光を射出する機能を有している。バックライト３０は、例えば、ＬＥＤ（Light Emitting Diode）や、ＣＣＦＬ（Cold Cathode Fluorescent Lamp）などを用いて構成されるものである。
【００１９】
バリア駆動部４１は、制御部４０から供給されるバリア制御信号に基づいて、バリア部１０を駆動するものである。バリア部１０は、入射した光を透過（開動作）または遮断（閉動作）するものであり、液晶を用いて構成された複数の開閉部１１，１２（後述）を有している。
【００２０】
表示駆動部５０は、制御部４０から供給される映像信号Ｓdisp2に基づいて表示部２０を駆動するものである。表示部２０は、この例では液晶表示部であり、液晶表示素子を駆動して、入射した光を変調することにより表示を行うようになっている。
【００２１】
図２は、立体表示装置１の要部の一構成例を表すものであり、（Ａ）は立体表示装置１の分解斜視構成を示し、（Ｂ）は立体表示装置１の側面図を示す。図２に示したように、立体表示装置１では、これらの各部品は、バックライト３０、バリア部１０、表示部２０の順に配置されている。つまり、バックライト３０から射出してバリア部１０を通過した光が、表示部２０により変調され、観察者に届くようになっている。
【００２２】
（表示駆動部５０および表示部２０）
図３は、表示駆動部５０のブロック図の一例を表すものである。表示駆動部５０は、タイミング制御部５１と、ゲートドライバ５２と、データドライバ５３とを備えている。タイミング制御部５１は、ゲートドライバ５２およびデータドライバ５３の駆動タイミングを制御するとともに、制御部４０から供給された映像信号Ｓdisp2に基づいて映像信号Ｓdisp3を生成し、データドライバ５３へ供給するものである。ゲートドライバ５２は、タイミング制御部５１によるタイミング制御に従って、表示部２０内の画素Ｐixを行ごとに順次選択して、線順次走査するものである。データドライバ５３は、表示部２０の各画素Ｐixへ、映像信号Ｓdisp3に基づく画素信号を供給するものである。具体的には、データドライバ５３は、映像信号Ｓdisp3に基づいてＤ／Ａ（デジタル／アナログ）変換を行うことにより、アナログ信号である画素信号を生成し、各画素Ｐixへ供給するようになっている。
【００２３】
タイミング制御部５１は、ＬＵＴ（Look Up Table）５４Ａ，５４Ｂを有している。このＬＵＴ５４Ａ，５４Ｂは、映像信号Ｓdisp2に含まれる各画素Ｐixのための画素情報（輝度情報）に対して、いわゆるガンマ補正を行うためのテーブルであり、ＬＵＴ５４Ａは、サブ画素ＳＰixのサブ画素部分ＰＡ（後述）のためのテーブルであり、ＬＵＴ５４Ｂは、サブ画素ＳＰixのサブ画素部分ＰＢ（後述）のためのテーブルである。タイミング制御部５１は、画素情報（輝度情報）に対して、ＬＵＴ５４Ａ，５４Ｂを用いて互いに異なるガンマ補正を行い、映像信号Ｓdisp3を生成する。そして、データドライバ５３は、ＬＵＴ５４Ａを用いて生成された画素信号を、サブ画素ＳＰixのサブ画素部分ＰＡ（後述）に供給するとともに、ＬＵＴ５４Ｂを用いて生成された画素信号を、そのサブ画素ＳＰixのサブ画素部分ＰＢ（後述）に供給する。表示部２０では、後述するように、サブ画素部分ＰＡ，ＰＢは、それらの画素信号に基づいてそれぞれ表示を行う。すなわち、表示部２０は、サブ画素部分ＰＡ，ＰＢが、１つの画素情報を異なるガンマ特性で表示する、いわゆるハーフトーン駆動による表示を行うものである。
【００２４】
図４は、表示部２０の一構成例を表すものである。表示部２０には、画素Ｐixがマトリクス状に配置されている。各画素Ｐixは、赤色（Ｒ）、緑色（Ｇ）、青色（Ｂ）にそれぞれ対応する３つのサブ画素ＳＰixを有している。サブ画素ＳＰixは、水平方向において、所定のピッチ（サブ画素ピッチＰＳ）で配置されている。サブ画素ＳＰix間には、いわゆるブラックマトリクスＢＭが形成され、入射した光が遮光されるようになっている。これにより、表示部２０では、赤色（Ｒ）、緑色（Ｇ）、青色（Ｂ）の混色がおこりにくくなっている。各サブ画素ＳＰixは、垂直方向Ｙに並設されたサブ画素部分ＰＡ，ＰＢを有している。なお、この例では、サブ画素部分ＰＡ，ＰＢは同じ大きさとしたが、これに限定されるものではなく、これに代えて、例えば、サブ画素部分ＰＡをサブ画素部分ＰＢよりも大きくしてもよい。
【００２５】
図５は、サブ画素ＳＰixの回路図の一例を表すものである。サブ画素ＳＰixのサブ画素部分ＰＡは、例えばＭＯＳ（Metal Oxide Semiconductor）型のＦＥＴ（Field Effect Transistor）により構成されるＴＦＴ素子ＴｒＡと、液晶素子ＬＣＡと、保持容量素子ＣｓＡとを備えている。ＴＦＴ素子ＴｒＡは、ゲートがゲート線ＧＣＬＡに接続され、ソースがデータ線ＳＧＬに接続され、ドレインが液晶素子ＬＣＡの一端と保持容量素子ＣｓＡの一端に接続されている。液晶素子ＬＣＡは、一端がＴＦＴ素子ＴｒＡのドレインに接続され、他端は共通電極ＣＯＭ（後述する対向電極２２２）に接続されて接地されている。保持容量素子ＣｓＡは、一端がＴＦＴ素子ＴｒＡのドレインに接続され、他端は保持容量線ＣＳＬに接続されている。同様に、サブ画素ＳＰixのサブ画素部分ＰＢは、例えばＭＯＳ型のＦＥＴにより構成されるＴＦＴ素子ＴｒＢと、液晶素子ＬＣＢと、保持容量素子ＣｓＢとを備えている。ＴＦＴ素子ＴｒＢは、ゲートがゲート線ＧＣＬＢに接続され、ソースがデータ線ＳＧＬに接続され、ドレインが液晶素子ＬＣＢの一端と保持容量素子ＣｓＢの一端に接続されている。液晶素子ＬＣＢは、一端がＴＦＴ素子ＴｒＢのドレインに接続され、他端は共通電極ＣＯＭ（後述する対向電極２２２）に接続されて接地されている。保持容量素子ＣｓＢは、一端がＴＦＴ素子ＴｒＢのドレインに接続され、他端は保持容量線ＣＳＬに接続されている。ゲート線ＧＣＬＡ，ＧＣＬＢはゲートドライバ５２に接続され、データ線ＳＧＬはデータドライバ５３に接続されている。
【００２６】
図６は、表示部２０の断面構成例を表すものである。表示部２０は、駆動基板２１０と対向基板２２０との間に、液晶層２００を封止したものである。
【００２７】
駆動基板２１０は、透明基板２１１と、画素電極２１２と、配向膜２１３と、偏光板２１４とを有している。透明基板２１１は、例えばガラス等から構成されるものであり、その表面には、図示しないＴＦＴ素子ＴｒＡ，ＴｒＢ等が形成されている。この透明基板２１１上には、サブ画素部分ＰＡ，ＰＢごとに画素電極２１２が配設されている。この画素電極２１２は、例えばＩＴＯ（Indium Tin Oxide）等の透明導電膜により構成されるものであり、サブ画素部分ＰＡ，ＰＢの各領域内において一様に形成されている。そして、画素電極２１２の上には、配向膜２１３が形成されている。配向膜２１３は、例えば紫外線などを照射することにより、液晶層２００における液晶分子Ｍの配向方向を定める、いわゆる光配向処理が施されたものである。駆動基板２１１の、画素電極２１２などが形成された面とは反対の面には、偏光板２１４が貼り付けられている。
【００２８】
対向基板２２０は、透明基板２２１と、対向電極２２２と、配向膜２２３と、偏光板２２４とを有している。透明基板２２１は、透明基板２１１と同様に、例えばガラス等から構成されるものであり、その表面には、図示しないカラーフィルタやブラックマトリクスＢＭが形成されている。この透明基板２２１上には、対向電極２２２が、サブ画素ＳＰixに共通の電極として配設されている。この対向電極２２２は、例えばＩＴＯ等の透明導電膜により構成されるものであり、この例では、表示部２０の全面において一様に形成されている。そして対向電極２２２の上には、配向膜２２３が形成されている。配向膜２２３は、配向膜２１３と同様に、いわゆる光配向処理が施されたものである。駆動基板２２１の、対向電極２２２などが形成された面とは反対の面には、偏光板２２４が貼り付けられている。
【００２９】
液晶層２００は、例えば、負の誘電率異方性を有する液晶分子Ｍを含むものである。この液晶分子Ｍは、配向膜により、垂直配向される液晶分子Ｍを含むものである。すなわち、液晶層２００は、いわゆるＶＡ（Vertical Alignment）液晶として機能するものである。
【００３０】
図７は、サブ画素ＳＰixを表すものであり、（Ａ）は画素電極２１２を示し、（Ｂ）は電圧印加時における液晶分子Ｍの平均的な配向方向を模式的に示すものである。画素電極２１２は、図７（Ａ）に示したように、サブ画素部分ＰＡ，ＰＢのそれぞれにおいて、一様に形成されている。また、表示部２０では、図７（Ｂ）に示したように、サブ画素部分ＰＡ，ＰＢのそれぞれにおいて、液晶分子Ｍの配向方向が互いに異なる複数の領域（ドメインＤ１〜Ｄ４）が設けられている。これらのドメインＤ１〜Ｄ４は、配向膜２１３，２２３に対する光配向処理により、液晶分子Ｍの配向方向がドメイン間で互いに異なるように形成されたものであり、互いにほぼ等しい面積を有するものである。
【００３１】
図８は、異なる２つのドメイン（この例ではドメインＤ１，Ｄ２）における液晶分子Ｍの向きを模式的に表すものであり、（Ａ）は０Ｖの画素信号が画素電極２０２に印加された場合を示し、（Ｂ）は電圧Ｖｈの画素信号が印加された場合を示し、（Ｃ）は電圧Ｖｈより大きい電圧Ｖｗの画素信号が印加された場合を示す。ここで、電圧Ｖｈは、例えば４Ｖ程度であり、電圧Ｖｗは例えば８Ｖ程度である。
【００３２】
０Ｖの画素信号が画素電極２１２に印加された場合には、図８（Ａ）に示したように、液晶分子Ｍは、その長軸が基板面に対して垂直な方向を向く。この場合には、そのサブ画素部分ＰＡ，ＰＢでは、光の透過率が十分に低くなり、黒表示が行われる。また、電圧Ｖｗの画素信号が画素電極２１２に印加された場合には、図８（Ｃ）に示したように、液晶分子Ｍは、その長軸が基板面に対して平行な方向を向く。この場合には、そのサブ画素部分ＰＡ，ＰＢでは、光の透過率が高くなり、いわゆる白表示が行われる。
【００３３】
一方、電圧Ｖｈの画素信号が画素電極２１２に印加された場合には、図８（Ｂ）に示したように、液晶分子Ｍは、その長軸が図８（Ａ）に示した向きと図８（Ｃ）に示した向きの中間の向きに傾斜する。その際、図８（Ｂ）に示したように、液晶分子Ｍは、図において左側のドメインＤ１と右側のドメインＤ２とで、その傾斜する向きは異なるものの、その傾斜する程度（角度）は同等である。この場合には、そのサブ画素部分ＰＡ，ＰＢでは、光の透過率が中程度となり、中間調の表示が行われる。
【００３４】
このように、表示部２０では、画素電極２０２に画素信号を印加することにより、液晶分子Ｍが、各ドメインＤ１〜Ｄ４において異なる方向を向く。その際、サブ画素部分ＰＡ，ＰＢは、特に中間調の状態において、ＬＵＴ５４Ａ，５４Ｂを用いて生成された互いに異なる画素信号によりそれぞれ駆動されるため、例えば、サブ画素部分ＰＡのドメインＤ１における液晶分子Ｍと、サブ画素部分ＰＢのドメインＤ１における液晶分子Ｍとは、それぞれ異なる方向を向く。他のドメインＤ２〜Ｄ４についても同様である。これにより、表示部２０は、視野角特性を高めることができるようになっている。
【００３５】
（バリア部１０）
バリア部１０は、液晶バリアにより構成されるパララックスバリアである。以下に、その詳細を説明する。
【００３６】
図９は、バリア部１０の一構成例を表すものである。バリア部１０は、光を透過または遮断する複数の開閉部（液晶バリア）１１，１２を有している。開閉部１１，１２は、ＸＹ平面における一方向（この例では、垂直方向Ｙから所定の角度θをなす方向）に延在して設けられるとともに、水平方向Ｘにおいて交互に配置されている。この例では、開閉部１２の幅Ｗ１２を、表示部２０におけるサブ画素ピッチＰＳとほぼ等しくしている。これにより、後述するように、立体視表示の際にモアレが発生するおそれを低減することができる。また、この例では、開閉部１１の幅Ｗ１１および開閉部１２の幅Ｗ１２は、互いにほぼ等しくしている。なお、開閉部１１，１２の幅の大小関係はこれに限定されず、Ｗ１１＞Ｗ１２であってもよく、またＷ１１＜Ｗ１２であってもよい。
【００３７】
これらの開閉部１１，１２は、立体表示装置１が通常表示（２次元表示）および立体視表示のどちらを行うかにより、異なる動作を行う。すなわち、開閉部１１は、後述するように、通常表示を行う際には開状態（透過状態）になり、立体視表示を行う際には、閉状態（遮断状態）になる。一方、開閉部１２は、後述するように、通常表示を行う際には開状態（透過状態）になり、立体視表示を行う際には、時分割的に開状態（透過状態）になる。具体的には、開閉部１２は、複数のグループにグループ分けされており、立体視表示を行う際、同じグループに属する複数の開閉部１２が、同じタイミングで開動作および閉動作を行うようになっている。以下に、開閉部１２のグループについて説明する。
【００３８】
図１０は、開閉部１２のグループ構成例を表すものである。開閉部１２は、この例では４つのグループＡ〜Ｄにグループ分けされている。具体的には、図１０に示したように、グループＡを構成する開閉部１２（開閉部１２Ａ）と、グループＢを構成する開閉部１２（開閉部１２Ｂ）と、グループＣを構成する開閉部１２（開閉部１２Ｃ）と、グループＤを構成する開閉部１２（開閉部１２Ｄ）とが、この順で巡回するように配置されている。
【００３９】
バリア駆動部４１は、立体視表示を行う際、同じグループに属する複数の開閉部１２が同じタイミングで開閉動作を行うように駆動する。具体的には、バリア駆動部４１は、後述するように、グループＡに属する複数の開閉部１２Ａを同時に開閉し、次にグループＢに属する複数の開閉部１２Ｂを同時に開閉し、次にグループＣに属する複数の開閉部１２Ｃを同時に開閉し、次にグループＤに属する複数の開閉部１２Ｄを同時に開閉することにより、開閉部１２Ａ〜１２Ｄを時分割的に巡回して開閉動作するように駆動する。
【００４０】
図１１は、立体視表示を行う場合のバリア部１０の状態を、断面構造を用いて模式的に表すものである。この例では、開閉部１２Ａは、表示部２０の８つのサブ画素ＳＰixに１つの割合で設けられている。同様に、開閉部１２Ｂ，１２Ｃ，１２Ｄは、それぞれ、表示部２０の８つのサブ画素ＳＰixに１つの割合で設けられている。なお、これに限定されるものではなく、開閉部１２Ａ〜１２Ｄを、表示部２０の８つのサブ画素ＳＰixに１つの割合ではなく、８つの画素Ｐixに１つの割合でそれぞれ設けてもよい。図１１では、バリア部１０の開閉部１１，１２（１２Ａ〜１２Ｄ）のうち、光が遮断される開閉部を斜線で示している。
【００４１】
立体表示装置１では、立体視表示を行う場合には、表示駆動部５０に映像信号Ｓ３Ｄが供給され、表示部２０はそれに基づいて表示を行う。そして、バリア部１０では、開閉部１１が閉状態（遮断状態）を維持するとともに、表示部２０の表示に同期して開閉部１２（開閉部１２Ａ〜１２Ｄ）が時分割的に開閉動作を行う。
【００４２】
具体的には、バリア駆動部４１が開閉部１２Ａを開状態（透過状態）にした場合には、表示部２０では、図１１（Ａ）に示したように、この開閉部１２Ａに対応した位置に配置された互いに隣接する８つのサブ画素ＳＰixが、８つの視点映像に対応する画素情報Ｐ１〜Ｐ８を表示する。同様に、バリア駆動部４１が開閉部１２Ｂを開状態（透過状態）にした場合には、表示部２０では、図１１（Ｂ）に示したように、この開閉部１２Ｂに対応した位置に配置された互いに隣接する８つのサブ画素ＳＰixが、８つの視点映像に対応する画素情報Ｐ１〜Ｐ８を表示する。また、バリア駆動部４１が開閉部１２Ｃを開状態（透過状態）にした場合には、表示部２０では、図１１（Ｃ）に示したように、この開閉部１２Ｃに対応した位置に配置された互いに隣接する８つのサブ画素ＳＰixが、８つの視点映像に対応する画素情報Ｐ１〜Ｐ８を表示する。そして、バリア駆動部４１が開閉部１２Ｄを開状態（透過状態）にした場合には、表示部２０では、図１１（Ｄ）に示したように、この開閉部１２Ｄに対応した位置に配置された互いに隣接する８つのサブ画素ＳＰixが、８つの視点映像に対応する画素情報Ｐ１〜Ｐ８を表示する。
【００４３】
これにより、観察者は、後述するように、例えば左眼と右眼とで異なる視点映像を見ることができ、表示された映像を立体的な映像として感じるようになっている。立体表示装置１では、このように、開閉部１２Ａ〜１２Ｄを時分割的に切り換えて開閉し映像を表示することにより、後述するように、表示装置の解像度を高めることができるようになっている。
【００４４】
また、通常表示（２次元表示）を行う場合には、表示部２０は、映像信号Ｓ２Ｄに基づいて通常の２次元映像を表示し、バリア部１０では、開閉部１１および開閉部１２（開閉部１２Ａ〜１２Ｄ）は全て開状態（透過状態）を維持するようになっている。これにより、観察者は、表示部２０に表示された通常の２次元映像をそのまま見ることができる。
【００４５】
ここで、サブ画素部分ＰＡ，ＰＢは、本開示における「単位画素」の一具体例にそれぞれ対応する。画素電極２１２は、本開示における「第１の電極」の一具体例に対応する。対向電極２２２は、本開示における「第２の電極」の一具体例に対応する。バリア部１０は、本開示における「光線制御部」の一具体例に対応する。
【００４６】
［動作および作用］
続いて、本実施の形態の立体表示装置１の動作および作用について説明する。
【００４７】
（全体動作概要）
まず、図１などを参照して、立体表示装置１の全体動作概要を説明する。制御部４０は、外部より供給される映像信号Ｓdispに基づいて、バックライト駆動部４３、バリア駆動部４１、および表示駆動部５０を制御する。バックライト駆動部４３は、制御部４０から供給されるバックライト制御信号に基づいてバックライト３０を駆動する。バックライト３０は、面発光した光をバリア部１０に対して射出する。バリア駆動部４１は、制御部４０から供給されるバリア制御信号に基づいてバリア部１０を制御する。バリア部１０の開閉部１１，１２は、バリア駆動部４１からの指示に基づいて開閉動作を行う。表示駆動部５０は、制御部４０から供給される映像信号Ｓdisp2に基づいて表示部２０を駆動する。表示部２０は、バックライト３０から射出し、バリア部１０の開閉部１１，１２を透過した光を変調することにより表示を行う。
【００４８】
（詳細動作）
次に、立体視表示を行う場合の詳細動作を説明する。
【００４９】
図１２は、バリア駆動部４１が開閉部１２Ａを開状態（透過状態）にした場合の、表示部２０およびバリア部１０の動作例を表すものである。この場合には、開閉部１２Ａが開状態（透過状態）になるとともに、開閉部１２Ｂ〜１２Ｄが閉状態（遮断状態）になり、表示部２０は、映像信号Ｓ３Ｄに含まれる８つの視点映像のそれぞれに対応する画素情報Ｐ１〜Ｐ８を、開閉部１２Ａ付近に配置されたサブ画素ＳＰixにそれぞれ表示する。これにより、画素情報Ｐ１〜Ｐ８に対応する光は、各サブ画素ＳＰixと開閉部１２Ａとの相対的な位置関係に応じて、それぞれ角度が制限されて出力される。よって、例えば、立体表示装置１の表示画面の正面から観察する観察者は、左眼で画素情報Ｐ５を、右眼で画素情報Ｐ４を見ることにより、立体的な映像を見ることができる。なお、ここでは、バリア駆動部４１が開閉部１２Ａを開状態にした場合について説明したが、開閉部１２Ｂ〜１２Ｄを開状態にした場合についても同様である。
【００５０】
このように、観察者は、左眼と右眼とで、画素情報Ｐ１〜Ｐ８のうちの異なる画素情報を見ることとなり、観察者は立体的な映像として感じることができる。また、開閉部１２Ａ〜１２Ｄを時分割的に順次開閉して映像を表示することにより、観察者は、互いにずれた位置に表示される映像を平均化して見ることとなる。よって、立体表示装置１は、開閉部１２Ａのみをもつ場合に比べ、４倍の解像度を実現することが可能となる。言い換えれば、立体表示装置１の解像度は、２次元表示の場合に比べ１／２（＝１／８×４）で済むこととなる。
【００５１】
（クロストークについて）
図１２に示したように、立体視表示の際には、観察者は、左眼と右眼とで、異なる視点映像を観察することが望ましい。しかしながら、以下に示すように、観察者は、本来観察すべき視点映像と、その視点映像とは異なる視点映像とが混ざり合った映像を観察するおそれがある。
【００５２】
図１３は、観察者の一方の眼が、５番目の視点映像を観察する場合を模式的に表すものである。この例では、バックライト３０から射出し、開閉部１２Ａを通過した光が、画素情報Ｐ５を表示するサブ画素ＳＰixを直進して、光Ｌ１として出力される。その際、このサブ画素ＳＰixに入射した光の一部が散乱され、所望の方向と異なる方向に進むおそれがある。すなわち、例えば、図１３において光Ｌ２で示したように、入射光が表示部２０の電極パターン、配線パターン、液晶層２００等により回折あるいは屈折し、またはカラーフィルタや偏光板２１４，２２４などにより散乱されるおそれがある。また、図１３において光Ｌ３で示したように、入射光が表示部２０のメタルや多層薄膜により反射した後、さらにバリア部１０で反射し、異なる視点映像に係るサブ画素ＳＰix（この例では画素情報Ｐ８を表示するサブ画素ＳＰix）を通過して出力されるおそれがある。
【００５３】
このように、ある視点映像に係る光が散乱し、その進行方向が変化した場合には、その散乱光が他の視点映像に係る光と混ざり合うおそれがある。すなわち、この場合には、互いに異なる視点映像が混ざり合うこととなり（クロストーク）、観察者は、画質が低下したように感じることとなる。
【００５４】
図１４は、立体表示装置１のクロストーク特性を表すものである。図１４に示したクロストーク特性は、以下のようにして得られるものである。すなわち、まず、表示部２０は、ある視点映像が全面において白色（白画像）であり、その他の視点映像が全面において黒色（黒画像）である、８つの視点映像を表示する。そして、バリア部１０が、あるグループに属する開閉部１２（例えばグループＡに属する開閉部１２Ａ）のみを常に開状態（透過状態）にし、他のグループに属する開閉部１２を常に閉状態（遮断状態）にする。そして、水平方向の観察角度αを変化させながらその輝度Ｉを測定することにより、図１４に示したクロストーク特性が得られる。
【００５５】
図１４に示したように、輝度Ｉは、観察者が、図１３に示した直進光Ｌ１を観察するような観察角度αにおいて大きくなり（部分Ｐｔ）になり、それ以外の観察角度αにおいて小さくなる（部分Ｐｂ）。この部分Ｐｂにおける輝度Ｉのうちの一部は、図１３に示した、表示部２０における光の散乱に起因するものである。部分Ｐｂにおける輝度Ｉが大きくなるほど、本来観察すべき視点映像に加え、その視点画像とは異なる視点映像が表示されるようになるため、画質が低下してしまう。
【００５６】
図１５は、表示部２０のみに対してレーザー光を照射したときの透過光の分布を表すものである。同心円の中心は、直進光（例えば図１３の光Ｌ１）の位置に対応しており、同心円の径方向は極角に対応している。表示部２０は、サブ画素ＳＰix内において、画素電極２１２および対向電極２２２を一様に形成したので、以下に示す比較例と比べて、光の散乱を低減することができる。これにより、クロストーク特性（図１４）における部分Ｐｂでの輝度Ｉを低くすることができるため、画質を高めることができる。
【００５７】
次に、いくつかの比較例と対比して、本実施の形態の作用を説明する。
【００５８】
（比較例１）
比較例１は、いわゆるＰＶＡ（Patterned Vertical Alignment）方式の表示パネルを用いて表示部２０Ｒを構成したものである。その他の構成は、本実施の形態（図１等）と同様である。
【００５９】
図１６は、表示部２０Ｒの一構成例を表すものであり、（Ａ）は画素電極２１２Ｒを示し、（Ｂ）は対向電極２２２Ｒを示し、（Ｃ）はサブ画素ＳＰixRにおける液晶分子Ｍの配向を模式的に示している。図１７は、サブ画素ＳＰixRの上半分における液晶分子Ｍの向きを模式的に表すものである。
【００６０】
画素電極２１２Ｒには、図１６（Ａ）に示したように、複数のスリットＳＬ１が設けられている。この例では、スリットＳＬ１は、画素電極２１２Ｒの上半分では、水平方向Ｘから時計回りに４５度の方向に延伸するとともに、所定の間隔で形成され、画素電極２１２Ｒの下半分では、水平方向Ｘから反時計回りに４５度の方向に延伸するとともに、所定の間隔で形成されている。
【００６１】
対向電極２２２Ｒには、図１６（Ｂ）に示したように、画素電極２１２Ｒと同様に、複数のスリットＳＬ２が設けられている。この例では、スリットＳＬ２は、画素電極２１２Ｒに対応する領域の上半分では、水平方向Ｘから時計回りに４５度の方向に延伸するとともに、所定の間隔で形成され、画素電極２１２Ｒに対応する領域の下半分では、水平方向Ｘから反時計回りに４５度の方向に延伸するとともに、所定の間隔で形成されている。その際、スリットＳＬ２は、スリットＳＬ１と異なる部分に形成されている。具体的には、画素電極２１２Ｒに形成されたスリットＳＬ１と、対向電極２２２Ｒに形成されたＳＬ２とは、互い違いに配置されている。
【００６２】
この構成により、サブ画素ＳＰixRの上半分の液晶分子Ｍは、図１７に示したように、スリットＳＬ１，ＳＬ２の相対的な位置関係に応じた方向を向き、２つのドメインＤＲ１，ＤＲ２が交互に形成されることとなる。なお、図１７では、サブ画素ＳＰixRの上半分について説明したが、サブ画素ＳＰixRの下半分についても同様である。
【００６３】
これにより、サブ画素ＳＰixRには、図１６（Ｃ）に示したように、４つのドメインＤＲ１〜ＤＲ４が形成される。すなわち、サブ画素ＳＰixRの上半分では、スリットＳＬ１，ＳＬ２の部分（ドメイン境界ＢＲ１，ＢＲ２）により区分されたドメインＤＲ１，ＤＲ２が交互に形成され、サブ画素ＳＰixRの下半分では、同様にスリットＳＬ１，ＳＬ２の部分により区分されたドメインＤＲ３，ＤＲ４が交互に形成される。
【００６４】
図１８は、表示部２０Ｒのみに対してレーザー光を照射したときの透過光の分布を表すものである。図１８に示したように、本比較例１に係る表示部２０Ｒでは、本実施の形態の場合（図１５）と異なり、斜めの方向（４５度、１３５度、２２５度、および３１５度の方向）にも透過光が散乱している事がわかる。すなわち、表示部２０Ｒでは、図１６に示したように、スリットＳＬ１，ＳＬ２が斜めの方向に配列しているため、入射光は、この電極パターンや、この電極パターンに応じて配向した液晶層２００Ｒにより回折等することにより、斜めの方向にも散乱する。このように、表示部２０Ｒでは、光の散乱が多くなるため、クロストーク特性（図１４）における部分Ｐｂでの輝度Ｉが高くなり、画質が低下するおそれがある。
【００６５】
一方、本実施の形態に係る表示部２０では、サブ画素ＳＰix内において、画素電極２１２および対向電極２２２を一様に形成したので、散乱の原因になるスリットなどの電極パターンがないため、光の散乱を低減することができ、画質を高めることができる。
【００６６】
（比較例２）
比較例２は、いわゆるＰＳＡ（Polymer Sustained Alignment）方式の表示パネルを用いて表示部２０Ｓを構成したものである。その他の構成は、本実施の形態（図１等）と同様である。
【００６７】
図１９は、比較例２に係る表示部２０Ｓの一構成例を表すものであり、（Ａ）は画素電極２１２Ｒを示し、（Ｂ）はサブ画素ＳＰixSにおける液晶分子Ｍの平均的な配向方向を模式的に示している。
【００６８】
画素電極２１２Ｒは、サブ画素部分ＰＡ，ＰＢのそれぞれにおいて、同様の電極パターンで形成されている。画素電極２１２Ｒは、図１９（Ａ）に示したように、幹部分６１，６２と、枝部分６３とを有している。幹部分６１は、垂直方向Ｙに延伸するように形成されており、幹部分６２は、水平方向Ｘに延伸するとともに幹部分６１と交差するように形成されている。枝部分６３は、幹部分６１および幹部分６２により区切られた４つの枝領域７１〜７４において、幹部分６１および幹部分６２から延伸するように形成されている。枝部分６３は、枝領域７１〜７４のそれぞれにおいて同じ方向に延伸している。枝領域７１，７４の枝部分６３は、水平方向Ｘから反時計まわりに所定の角度φ（例えば４５度）だけ回転させた方向に延伸しており、枝領域７２，７３の枝部分６３は、水平方向Ｘから時計まわりに所定の角度φ（例えば４５度）だけ回転させた方向に延伸している。
【００６９】
これにより、サブ画素ＳＰixSにおけるサブ画素部分ＰＡ，ＰＢには、図１９（Ｂ）に示したように、枝領域７１〜７４に対応する４つのドメインＤＳ１〜ＤＳ４が現れる。
【００７０】
図２０は、表示部２０Ｓのみに対してレーザー光を照射したときの透過光の分布を表すものである。図２０に示したように、本比較例２に係る表示部２０Ｓでは、本実施の形態の場合（図１５）と異なり、斜めの方向（４５度、１３５度、２２５度、および３１５度の方向）にも透過光が散乱している事がわかる。すなわち、図１９に示したように、枝部分６３が斜めの方向に配列しているため、入射光は、この電極パターンや、この電極パターンに応じて配向した液晶層２００Ｓにより回折等することにより、斜めの方向にも散乱する。このように、表示部２０Ｓでは、光の散乱が多くなるため、クロストーク特性（図１４）における部分Ｐｂでの輝度Ｉが高くなり、画質が低下するおそれがある。
【００７１】
一方、本実施の形態に係る表示部２０では、サブ画素ＳＰix内において、画素電極２１２および対向電極２２２を一様に形成したので、散乱の原因になる枝部分などの電極パターンがないため、光の散乱を低減することができ、画質を高めることができる。
【００７２】
（モアレについて）
一般に、パララックスバリア方式の立体表示装置では、バリア部において開閉部が並設され、表示部においてサブ画素が並設されているため、立体視表示の際にモアレが発生するおそれがある。モアレは、開閉部およびサブ画素の形状に起因するモアレＭＡと、光の回折に起因するモアレＭＢとに分類される。
【００７３】
図２１は、立体表示装置１におけるモアレＭＡ，ＭＢのシミュレーション結果を表すものである。図２１において、横軸は、立体視表示の際に透過状態になる開閉部１２の幅Ｗ１２を、サブ画素ＳＰixのサブ画素ピッチＰＳで除算したもの（Ｗ１２／ＰＳ）であり、縦軸はモアレ変調度ＭＭである。ここで、モアレ変調度ＭＭは、表示画面におけるモアレに起因する輝度変化であり、（輝度最大値−輝度最小値）／（輝度最大値＋輝度最小値）で表されるものである。
【００７４】
このモアレ変調度ＭＭのシミュレーションは、空間コヒーレンスを考慮した部分コヒーレント理論の照明計算に基づき、サブ画素ＳＰixの形状、および、立体視表示の際に透過状態になる開閉部１２の形状を考慮して回折計算を行ったものである。
【００７５】
図２１に示したように、モアレＭＡ，ＭＢに係るモアレ変調度ＭＭは、Ｗ１２／ＰＳが０（ゼロ）から増加するにつれてそれぞれ減少し、Ｗ１２／ＰＳ＝１においてともに十分に小さくなる。そして、Ｗ１２／ＰＳがさらに増加すると、これらのモアレ変調度ＭＭはそれぞれ一旦増加した後に減少し、Ｗ１２／ＰＳ＝２において再びともに十分に小さくなる。このように、開閉部１２の幅Ｗ１２が、サブ画素ピッチＰＳの整数倍である場合において、モアレＭＡ，ＭＢに係るモアレ変調度ＭＭがともに低くなり、モアレが発生するおそれが低くなる。
【００７６】
立体表示装置１では、開閉部１２の幅Ｗ１２と、サブ画素ＳＰixのサブ画素ピッチＰＳとをほぼ等しくしたので、図２１に示したように、モアレＭＡ，ＭＢの両方についてモアレ変調度ＭＭを低くすることができるため、モアレが発生するおそれを低減することができ、画質の低下を抑えることができる。
【００７７】
次に、開閉部およびサブ画素の形状に起因するモアレＭＡについて、より詳細に説明する。
【００７８】
図２２（Ａ）〜（Ｃ）は、バリア部１０における開閉部１２と、表示部２０におけるサブ画素ＳＰixとの相対的な位置関係を表すものである。図２３は、開閉部１２の幅Ｗ１２をサブ画素ピッチＰＳより広くした場合における、開閉部１２とサブ画素ＳＰixとの相対的な位置関係を表すものである。なお、これらの図では、立体視表示の際に閉状態となる開閉部１１の図示を省略している。また、説明の便宜上、開閉部１２が垂直方向Ｙに延伸するように描いたが、図９に示したように、垂直方向Ｙから所定の角度θをなす方向に延伸する場合でも同様である。
【００７９】
図２２，２３に示した位置関係は、例えば、観察者が表示画面を観察する際の観察角度αによって生じるものである。具体的には、例えば、観察者が表示画面の正面から観察したときには、図２２（Ｂ），２３（Ｂ）のような位置関係になり、表示画面の正面より右側から観察したときには、図２２（Ａ），２３（Ａ）のような位置関係になり、表示画面の正面より左側から観察したときには、図２２（Ｃ），２３（Ｃ）のような位置関係になる。
【００８０】
観察者は、サブ画素Ｓpixのうちの、開閉部１２と重なる部分（図２２，２３において斜線で示した部分）を観察する。立体表示装置１では、開閉部１２の幅Ｗ１２を、サブ画素ＳＰixのサブ画素ピッチＰＳとほぼ等しくしたので、図２２（Ａ）〜（Ｃ）に示したように、観察されるサブ画素ＳＰixの面積を、観察角度αによらずほぼ一定にすることができる。すなわち、例えば、開閉部１２の幅Ｗ１２をサブ画素ピッチＰＳより広くした場合には、図２３（Ａ）〜（Ｃ）に示したように、観察されるサブ画素ＳＰixの面積は、観察角度αにより異なる。この場合には、観察角度αによって輝度が変化するため、図２１に示したように、モアレＭＡについてのモアレ変調度ＭＭが増大する。一方、立体表示装置１では、図２２に示したように、観察されるサブ画素ＳＰixの面積を、観察角度αによらずほぼ一定にすることができるため、モアレＭＡについてのモアレ変調度ＭＭを小さくすることができ、画質の低下を抑えることができる。
【００８１】
次に、比較例と対比して、本実施の形態の作用を説明する。
【００８２】
（比較例３）
比較例３は、立体表示装置１において、バリア１０と表示部２０の位置を変更したものである。その他の構成は、本実施の形態（図１等）と同様である。
【００８３】
図２４は、比較例３に係る立体表示装置１Ｔの要部の一構成例を表すものであり、（Ａ）は立体表示装置１Ｔの分解斜視構成を示し、（Ｂ）は立体表示装置１Ｔの側面図を示す。立体表示装置１Ｔは、バックライト３０、表示部２０、バリア部１０をこの順に配置したものである。この立体表示装置１Ｔでは、バックライト３０から射出し、表示部２０を通過した光が、バリア部１０を介して、観察者に届くようになっている。
【００８４】
図２５は、立体表示装置１ＴにおけるモアレＭＡ，ＭＢのシミュレーション結果を表すものである。立体表示装置１Ｔでも、モアレＭＡに係るモアレ変調度ＭＭは、本実施の形態に係る立体表示装置１の場合（図２１）と同じである。一方、モアレＭＢに係るモアレ変調度ＭＭは、Ｗ１２／ＰＳが０（ゼロ）から増加するにつれて一旦増加した後に減少し、Ｗ１２／ＰＳ＝１．３５において十分に小さくなる。そして、Ｗ１２／ＰＳがさらに増加すると、このモアレ変調度ＭＭは増加する。このように、立体表示装置１Ｔでは、モアレＭＡについてのモアレ変調度ＭＭが十分に低くなるＷ１２／ＰＳの値と、モアレＭＢについてのモアレ変調度ＭＭが十分に低くなるＷ１２／ＰＳの値とが異なる。これにより、モアレＭＡ，ＭＢをともに低く抑えることが難しい。
【００８５】
一方、本実施の形態に係る立体表示装置１では、表示部２０、バックライト３０、バリア部１０の順に配置したため、図２１に示したように、モアレＭＡについてのモアレ変調度ＭＭが十分に低くなるＷ１２／ＰＳの値と、モアレＭＢについてのモアレ変調度ＭＭが十分に低くなるＷ１２／ＰＳの値とをほぼ等しくすることができる。これにより、立体表示装置１では、モアレＭＡ，ＭＢをともに低く抑えることができるため、画質を高めることができる。
【００８６】
［効果］
以上のように本実施の形態では、サブ画素内において、画素電極および対向電極を一様に形成したので、散乱の原因になるスリットなどの電極パターンがないため、光の散乱を低減することができ、画質を高めることができる。
【００８７】
また、本実施の形態では、表示部、バックライト、バリア部の順に配置するとともに、開閉部１２の幅を、サブ画素ピッチとほぼ等しくしたので、モアレが発生するおそれを低減することができ、画質を高めることができる。
【００８８】
［変形例１−１］
上記実施の形態では、配向膜２１３，２２３には、いわゆる光配向処理を施したが、これに限定されるものではなく、これに代えて、例えば、いわゆるラビング処理を施してもよい。
【００８９】
［変形例１−２］
上記実施の形態では、サブ画素ＳＰixにサブ画素部分ＰＡ，ＰＢを設けたが、これに限定されるものではなく、これに代えて、例えば、図２６に示したように、サブ画素部分を設けず、サブ画素ＳＰixが一体として駆動されるようにしてもよい。この場合には、図２７に示したように、各サブ画素ＳＰixのそれぞれにおいて、４つのドメインＤ１〜Ｄ４を設けることが望ましい。
【００９０】
［変形例１−３］
上記実施の形態では、開閉部１２の幅Ｗ１２をサブ画素ピッチＰＳとほぼ等しくしたが、これに限定されるものではなく、例えば、サブ画素ピッチＰＳの整数倍程度であれば、どのような幅であってもよい。具体的には、開閉部１２の幅Ｗ１２をサブ画素ピッチＰＳの２倍程度にすることができる。この場合でも、図２１に示したように、モアレＭＡ，ＭＢの両方についてモアレ変調度ＭＭを低くすることができるため、モアレが発生するおそれを低減することができ、画質の低下を抑えることができる。
【００９１】
＜２．第２の実施の形態＞
次に、第２の実施の形態に係る立体表示装置２について説明する。本実施の形態は、表示部において、液晶分子Ｍの配向を定めるために透明電極を別途設けたものである。なお、上記第１の実施の形態に係る立体表示装置１などと実質的に同一の構成部分には同一の符号を付し、適宜説明を省略する。
【００９２】
図２８は、本実施の形態における表示部６０の断面構成例を表すものである。表示部６０は、駆動基板３１０と、対向基板３２０とを有する。駆動基板３１０は、絶縁層３１１と、透明電極３１２と、配向膜３１３とを有している。絶縁層３１１は、画素電極２１２の上に形成されている。この絶縁層３１１は、例えば、ＳｉＮにより構成されるものである。絶縁層３１１の上の、サブ画素部分ＰＡ，ＰＢに対応する領域には、透明電極３１２が形成されている。この透明電極３１２は、例えばＩＴＯ等の透明導電膜により構成されるものであり、後述するように、複数の枝部分８３を有するものである。そして透明電極３１２の上には、配向膜３１３が形成されている。対向基板３２０は、配向膜３２３を有している。配向膜３２３は、対向電極２２２の上に形成されている。この例では、液晶層２００に、ＵＶ硬化性のモノマーを混入している。
【００９３】
図２９は、表示部６０の一構成例を表すものであり、（Ａ）は画素電極２１２を示し、（Ｂ）は透明電極３１２を示し、（Ｃ）はサブ画素ＳＰixにおける液晶分子Ｍの配向を模式的に示している。
【００９４】
透明電極３１２は、サブ画素部分ＰＡ，ＰＢのそれぞれにおいて、同様の電極パターンで形成されている。透明電極３１２は、図２９（Ｂ）に示したように、幹部分８１，８２と、枝部分８３とを有している。幹部分８１は、垂直方向Ｙに延伸するように形成されており、幹部分８２は、水平方向Ｘに延伸するとともに幹部分８１と交差するように形成されている。枝部分８３は、幹部分８１および幹部分８２により区切られた４つの枝領域９１〜９４において、幹部分８１および幹部分８２から延伸するように形成されている。
【００９５】
枝部分８３は、枝領域９１〜９４のそれぞれにおいて同じ方向に延伸している。枝領域９１の枝部分８３の延伸方向と、枝領域９３の枝部分８３の延伸方向とは、垂直方向Ｙを軸として線対称になっており、同様に、枝領域９２の枝部分８３の延伸方向と、枝領域９４の枝部分８３の延伸方向とは、垂直方向Ｙを軸として線対称になっている。また、枝領域９１の枝部分８３の延伸方向と、枝領域９２の枝部分８３の延伸方向とは、水平方向Ｘを軸として線対称になっており、同様に、枝領域９３の枝部分８３の延伸方向と、枝領域９４の枝部分８３の延伸方向とは、水平方向Ｘを軸として線対称になっている。この例では、具体的には、枝領域９１，９４の枝部分８３は、水平方向Ｘから反時計まわりに所定の角度φ（例えば４５度）だけ回転させた方向に延伸しており、枝領域９２，９３の枝部分８３は、水平方向Ｘから時計まわりに所定の角度φ（例えば４５度）だけ回転させた方向に延伸している。
【００９６】
ここで、透明電極３１２は、本開示における「第３の電極」の一具体例に対応する。
【００９７】
この表示部２０Ｆの製造工程では、表示部２０Ｆを一旦組み立てた後、透明電極３１２と対向電極２２２との間に電圧を印加しつつＵＶ光を照射することにより、液晶層２００の液晶分子Ｍにプレチルトを付与し、液晶分子Ｍの配向を定める。これにより、サブ画素ＳＰixには、図２９（Ｃ）に示したように、サブ画素部分ＰＡ，ＰＢのそれぞれにおいて、４つのドメインＤ１〜Ｄ４が形成される。このドメインＤ１〜Ｄ４は、枝領域９１〜９４に対応して形成されるものである。
【００９８】
この表示部６０は、表示動作を行う場合には、例えば、画素電極２１２および対応する透明電極３１２に同じ画素信号を印加する。これにより、表示部６０では、主に画素電極２１２と対向電極２２２との間の電位差により液晶層２００を駆動するため、液晶層２００における光の散乱を低減することができる。すなわち、例えば、比較例２に係る表示部２０Ｓでは、画素電極２１２Ｒ（図１９（Ａ））と対向電極２２２との間の電位差により液晶層２００Ｓを駆動する。この場合には、液晶分子Ｍは、画素電極２１２Ｒの電極パターンに応じた方向を向くため、この液晶分子Ｍの配向の周期性により、液晶層２００Ｓにおいて光が散乱されるおそれがある。一方、本実施の形態に係る表示部６０では、主に画素電極２１２と対向電極２２２との間の電位差により液晶層２００を駆動するため、液晶層２００における液晶分子Ｍの配向をほぼ一様にすることができる。これにより、液晶層２００における光の散乱を低減することができ、画質を高めることができる。
【００９９】
以上のように本実施の形態では、サブ画素内において、画素電極および対向電極を一様に形成したので、液晶層における光の散乱を低減することができ、画質を高めることができる。
【０１００】
［変形例２−１］
上記実施の形態では、サブ画素ＳＰixにサブ画素部分ＰＡ，ＰＢを設けたが、これに限定されるものではなく、これに代えて、例えば、上記第１の実施の形態の変形例１−２と同様に、サブ画素部分を設けず、サブ画素ＳＰixが一体として駆動されるようにしてもよい。
【０１０１】
［変形例２−２］
上記実施の形態では、開閉部１２の幅Ｗ１２をサブ画素ピッチＰＳとほぼ等しくしたが、これに限定されるものではなく、例えば、上記第１の実施の形態の変形例１−３と同様に、サブ画素ピッチＰＳの整数倍（例えば２倍）程度にすることができる。
【０１０２】
＜３．第３の実施の形態＞
次に、第３の実施の形態に係る立体表示装置３について説明する。本実施の形態は、いわゆるＰＶＡ方式により表示部７０を構成したものである。なお、上記第１の実施の形態に係る立体表示装置１などと実質的に同一の構成部分には同一の符号を付し、適宜説明を省略する。
【０１０３】
図３０は、表示部７０の一構成例を表すものであり、（Ａ）は画素電極４１２を示し、（Ｂ）は対向電極４２２を示し、（Ｃ）はサブ画素ＳＰixにおける液晶分子Ｍの配向を模式的に示している。
【０１０４】
画素電極４１２は、サブ画素部分ＰＡ，ＰＢのそれぞれにおいて、同様の電極パターンで形成されている。画素電極４１２には、図３０（Ａ）に示したように、１つのスリットＳＬ３が設けられている。この例では、スリットＳＬ３は、画素電極４１２の中央付近において、水平方向Ｘに延伸するように形成されている。
【０１０５】
対向電極４２２には、図３０（Ｂ）に示したように、サブ画素部分ＰＡ，ＰＢのそれぞれにおいて、２つのスリットＳＬ４が設けられている。この例では、２つのスリットＳＬ４のうちの１つは、サブ画素部分ＰＡ，ＰＢの上半分において、左下から右上へ向かう方向に延伸するように形成され、もう１つは、サブ画素部分ＰＡ，ＰＢの下半分において、左上から右下へ向かう方向に延伸するように形成されている。
【０１０６】
これにより、サブ画素ＳＰixには、図３０（Ｃ）に示したように、４つのドメインＤ１〜Ｄ４が形成される。すなわち、サブ画素部分ＰＡ，ＰＢの上半分では、スリットＳＬ４に対応するドメイン境界ＢＲ４により区分されたドメインＤ１，Ｄ２が形成され、サブ画素部分ＰＡ，ＰＢの下半分では、ドメイン境界ＢＲ４により区分されたドメインＤ３，Ｄ４が形成される。また、ドメインＤ２，Ｄ３は、スリットＳＬ３に対応するドメイン境界ＢＲ３により区分される。
【０１０７】
このように、各サブ画素部分ＰＡ，ＰＢは、４つのドメインＤ１〜Ｄ４を有する。その際、表示部７０では、スリットＳＬ３，ＳＬ４の数を少なくしたので、光が散乱されるおそれを低減することができる。すなわち、例えば、比較例１に係る表示部２０Ｒでは、図１６に示したように、複数のスリットＳＬ１，ＳＬ２を設け、サブ画素ＳＰixRの上半分では、ドメインＤＲ１，ＤＲ２を交互に形成し、サブ画素ＳＰixRの下半分では、ドメインＤＲ３，ＤＲ４を交互に形成している。これにより、ドメインＤＲ１〜ＤＲ４のそれぞれは、複数の領域に分かれて配置されるため、この液晶分子Ｍの配向の周期性により、液晶層２００Ｒにおいて光が散乱されるおそれがある。一方、本実施の形態に係る表示部７０では、スリットＳＬ３，ＳＬ４の数を少なくし、各ドメインＤ１〜Ｄ４を、それぞれ１つの閉じた領域に形成したので、液晶層２００における光の散乱を低減することができる。これにより、立体表示装置３では、画質を高めることができる。
【０１０８】
以上のように本実施の形態では、サブ画素内において、画素電極および対向電極に形成するスリットを少なくしたので、画質を高めることができる。
【０１０９】
［変形例３−１］
上記実施の形態では、サブ画素ＳＰixにサブ画素部分ＰＡ，ＰＢを設けたが、これに限定されるものではなく、これに代えて、例えば、上記第１の実施の形態の変形例１−２と同様に、サブ画素部分を設けず、サブ画素ＳＰixが一体として駆動されるようにしてもよい。
【０１１０】
［変形例３−２］
上記実施の形態では、開閉部１２の幅Ｗ１２をサブ画素ピッチＰＳとほぼ等しくしたが、これに限定されるものではなく、例えば、上記第１の実施の形態の変形例１−３と同様に、サブ画素ピッチＰＳの整数倍（例えば２倍）程度にすることができる。
【０１１１】
［変形例３−３］
上記実施の形態では、画素電極４１２に１つのスリットＳＬ３を設け、対向電極４２２に２つのスリットＳＬ４を設けたが、これに限定されるものではなく、これに代えて、例えば、画素電極に、２つのスリットＳＬ４に対応する２つのスリットを設け、対向電極に、１つのスリットＳＬ３に対応するスリットを設けてもよい。
【０１１２】
［変形例３−４］
また、さらに、上記第２の実施の形態の場合と同様に、ＵＶ光を照射することにより、液晶分子Ｍにプレチルトを付与してもよい。この場合には、液晶分子Ｍの配向方向をより安定にすることができ、応答時間を短くすることができる。
【０１１３】
＜４．第４の実施の形態＞
次に、第４の実施の形態に係る立体表示装置４について説明する。本実施の形態は、いわゆるピンホール型の画素により表示部８０を構成したものである。なお、上記第１の実施の形態に係る立体表示装置１などと実質的に同一の構成部分には同一の符号を付し、適宜説明を省略する。
【０１１４】
図３１は、表示部８０の一構成例を表すものであり、（Ａ）は画素電極２１２を示し、（Ｂ）は対向電極５２２を示し、（Ｃ）はサブ画素ＳＰixにおける液晶分子Ｍの配向を模式的に示している。対向電極５２２には、図３１（Ｂ）に示したように、サブ画素部分ＰＡ，ＰＢに対応する領域に、ホールＨＬがそれぞれ設けられている。この例では、ホールＨＬは、画素電極５２２の中心に対応する位置にそれぞれ形成されている。これにより、サブ画素ＳＰixでは、図３１（Ｃ）に示したように、サブ画素部分ＰＡ，ＰＢのそれぞれにおいて、放射状に液晶分子Ｍが配向する。言い換えれば、サブ画素部分ＰＡ，ＰＢのそれぞれにおいて、微小なドメインが放射状に配置される。
【０１１５】
表示部８０では、各サブ画素部分ＰＡ，ＰＢにおいて、画素電極２１２を一様に形成し、対向電極５２２もまたホールＨＬを除き一様に形成したので、光が散乱されるおそれを低減することができる。すなわち、例えば、比較例１に係る表示部２０Ｒ（図１６）、および比較例２に係る表示部２０Ｓ（図１９）では、電極パターン等に起因して光が散乱されるおそれがある（図１８，２０）。一方、本実施の形態に係る表示部８０では、画素電極２１２および対向電極５２２をほぼ一様に形成したので、電極パターン等に起因して光が散乱されるおそれを低減することができる。これにより、立体表示装置４では、画質を高めることができる。
【０１１６】
以上のように本実施の形態では、サブ画素内において、画素電極および対向電極をシンプルに構成したので、これらの電極パターンにより光が散乱されるおそれを低減することができ、画質を高めることができる。
【０１１７】
［変形例４−１］
上記実施の形態では、サブ画素ＳＰixにサブ画素部分ＰＡ，ＰＢを設けたが、これに限定されるものではなく、これに代えて、例えば、上記第１の実施の形態の変形例１−２と同様に、サブ画素部分を設けず、サブ画素ＳＰixが一体として駆動されるようにしてもよい。
【０１１８】
［変形例４−２］
上記実施の形態では、開閉部１２の幅Ｗ１２をサブ画素ピッチＰＳとほぼ等しくしたが、これに限定されるものではなく、例えば、上記第１の実施の形態の変形例１−３と同様に、サブ画素ピッチＰＳの整数倍（例えば２倍）程度にすることができる。
【０１１９】
＜５．第５の実施の形態＞
次に、第５の実施の形態に係る立体表示装置５について説明する。本実施の形態は、ＴＮ（Twisted Nematic）液晶により表示部９０を構成したものである。なお、上記第１の実施の形態に係る立体表示装置１などと実質的に同一の構成部分には同一の符号を付し、適宜説明を省略する。
【０１２０】
図３２は、表示部９０の一構成例を表すものである。表示部９０は、上記第１の実施の形態に係る表示部２０とは異なり、サブ画素部分を設けず、サブ画素ＳＰixが一体として駆動されるものである。
【０１２１】
表示部９０は、駆動基板６１０と、対向基板６２０と、液晶層６００とを備えている。駆動基板６１０は、画素電極６１２と、配向膜６１３とを有している。画素電極６１２は、例えばＩＴＯ等の透明導電膜により構成されるものであり、サブ画素ＳＰixに対応する領域内に一様に形成されている。画素電極６１２の上には、配向膜６１３が形成されている。対向基板６２０は、配向膜６２３を有している。配向膜６２３により液晶分子Ｍを配向させる方向（配向方向）は、後述するように、配向膜６１３により液晶分子Ｍを配向させる方向と交差するように設定されている。液晶層６００は、ＴＮ液晶により構成されるものである。
【０１２２】
図３３は、表示部９０の一構成例を表すものであり、（Ａ）は画素電極６１２を示し、（Ｂ）はサブ画素ＳＰixにおける液晶分子Ｍの配向を模式的に示している。画素電極６１２は、図３３（Ａ）に示したように、サブ画素ＳＰix内において一様に形成されている。また、表示部９０では、図３３（Ｂ）に示したように、サブ画素ＳＰix内において、液晶分子Ｍの方向が一様になるように動作する。すなわち、表示部９０は、シングルドメインの表示パネルである。
【０１２３】
図３４は、液晶層６００の動作を模式的に表すものであり、（Ａ）は画素電極６１２と対向電極２２２との間に電位差がない場合を示し、（Ｂ）は電位差がある場合を示す。
【０１２４】
電位差がない場合には、図３４（Ａ）に示すように、液晶層６００の液晶分子Ｍは、その長軸が駆動基板６１０や対向基板６２０の基板面に平行になっている。配向膜６１３の近くの液晶分子Ｍは、その長軸が配向膜６１３によって所定の方向に配向し、配向膜６２３の近くの液晶分子Ｍは、その長軸が配向膜６２３によって所定の方向に配向する。その際、配向膜６１３が配向させる液晶分子Ｍの配向方向と、配向膜６２３が配向させる液晶分子Ｍの向きとが、互いに交差するようになっており、液晶層６００の内部の液晶分子Ｍは、ねじれるように配向する。
【０１２５】
一方、電位差がある場合には、図３４（Ｂ）に示すように、液晶層６００の液晶分子Ｍは、その長軸が駆動基板６１０や対向基板６２０の基板面に垂直になる。
【０１２６】
以上のように本実施の形態では、サブ画素内において、画素電極および対向電極を一様に構成したので、これらの電極パターンにより光が散乱されるおそれを低減することができ、画質を高めることができる。
【０１２７】
［変形例５−１］
上記実施の形態では、開閉部１２の幅Ｗ１２をサブ画素ピッチＰＳとほぼ等しくしたが、これに限定されるものではなく、例えば、上記第１の実施の形態の変形例１−３と同様に、サブ画素ピッチＰＳの整数倍（例えば２倍）程度にすることができる。
【０１２８】
＜６．適用例＞
次に、上記実施の形態および変形例で説明した立体表示装置の適用例について説明する。
【０１２９】
図３５は、上記実施の形態等の立体表示装置が適用されるテレビジョン装置の外観を表すものである。このテレビジョン装置は、例えば、フロントパネル９１１およびフィルターガラス９１２を含む映像表示画面部９１０を有している。このテレビジョン装置は、上記実施の形態等に係る立体表示装置により構成されている。
【０１３０】
上記実施の形態等の立体表示装置は、このようなテレビジョン装置の他、デジタルカメラ、ノート型パーソナルコンピュータ、携帯電話等の携帯端末装置、携帯型ゲーム機、あるいはビデオカメラなどのあらゆる分野の電子機器に適用することが可能である。言い換えると、上記実施の形態等の立体表示装置は、映像を表示するあらゆる分野の電子機器に適用することが可能である。
【０１３１】
以上、いくつかの実施の形態および変形例、ならびに電子機器への適用例を挙げて本技術を説明したが、本技術はこれらの実施の形態等には限定されず、種々の変形が可能である。
【０１３２】
例えば、上記第１〜第４の各実施の形態等では、サブ画素部分ＰＡ，ＰＢのそれぞれにおいて４つのドメインを形成したが、これに限定されるものではなく、これに代えて、例えば３つ以下、もしくは５つ以上のドメインを形成してもよい。
【０１３３】
また、例えば、上記実施の形態等では、開閉部１２を４つのグループにグループ分けしたが、これに限定されるものではなく、３つ以下もしくは５つ以上のグループにグループ分けをしてもよい。また、開閉部１２をグループ分けしなくてもよい。この場合には、開閉部１２は、立体視表示の際には常に開状態（透過状態）になる。
【０１３４】
また、例えば、上記実施の形態等では、立体視表示の際に８つの視点映像を表示するようにしたが、これに限定されるものではなく、７つ以下の視点映像や、９つ以上の視点映像を表示してもよい。この場合、図１１に示したバリア部１０の開閉部１２Ａ〜１２Ｄと、サブ画素ＳＰixとの相対的な位置関係も変化する。すなわち、例えば、９つの視点映像を表示する場合には、開閉部１２Ａ〜１２Ｄのそれぞれは、表示部２０の９つのサブ画素ＳＰixに１つの割合で設けることが望ましい。
【０１３５】
また、例えば、上記実施の形態等では、パララックスバリア方式の立体表示装置を構成したが、これに限定されるものではなく、これに代えて、例えばレンチキュラーレンズ方式の立体表示装置を構成してもよい。
【０１３６】
なお、本技術は以下のような構成とすることができる。
【０１３７】
（１）複数の単位画素にそれぞれ対応づけられた第１の電極と、液晶層と、前記液晶層を挟んで前記第１の電極とは反対側に設けられた第２の電極とを有する液晶表示部と、
バックライトと、
前記液晶表示部と前記バックライトとの間に挿入された光線制御部と
を備え、
各単位画素は、液晶配向が互いに異なる複数のドメイン、または単一のドメインを有し、
前記第１の電極は、前記複数のドメインのそれぞれまたは前記単一のドメインにおいて一様に形成されている
表示装置。
【０１３８】
（２）前記単位画素は複数のドメインを有し、
前記複数のドメインは、それぞれが１つの連続領域として構成されている
前記（１）に記載の表示装置。
【０１３９】
（３）前記液晶表示部は、
前記液晶層と前記第１の電極との間に設けられ、前記液晶配向を定める複数の第１の配向領域を含む第１の配向膜と、
前記液晶層と前記第２の電極との間に設けられ、前記液晶配向を定める複数の第２の配向領域を含む第２の配向膜と
を有し、
前記ドメインは、前記第１の配向領域および前記第２の配向領域により画定される領域である
前記（２）に記載の表示装置。
【０１４０】
（４）前記第１の配向膜は、前記単位画素に対応する領域において、並設された２つの前記第１の配向領域を含み、
前記第２の配向膜は、前記単位画素に対応する領域において、前記第１の配向領域の並設方向と交差する方向に並設された２つの前記第２の配向領域を含み、
各単位画素は、４つのドメインを有する
前記（３）に記載の表示装置。
【０１４１】
（５）前記液晶表示部は、前記第１の電極と前記液晶層との間に設けられた第３の電極を有し、
前記第３の電極は、互いに同じ方向に延伸する枝部分を含む枝領域を複数有し、
前記ドメインは、前記枝領域に対応する領域である
前記（２）に記載の表示装置。
【０１４２】
（６）前記第３の電極は、
第１の幹部分と、
前記第１の幹部分と交差する第２の幹部分と
をさらに有し、
前記枝領域は、前記第１の幹部分および前記第２の幹部分により分けられた４つの領域であり、
前記枝部分は、前記第１の幹部分および前記第２の幹部分から、前記枝領域間で互い異なる方向に延伸する
前記（５）に記載の表示装置。
【０１４３】
（７）前記第１の電極は１または２の第１のスリットを有し、
前記第２の電極は、前記単位画素に対応する領域内において、前記１または２の第１のスリットとは異なる部分に形成された１または２の第２のスリットを有し、
前記ドメインは、前記１または２の第１のスリットおよび前記１または２の第２のスリットにより画定される領域である
前記（２）に記載の表示装置。
【０１４４】
（８）前記第１の電極は１つの前記第１のスリットを有し、
前記第２の電極は、前記単位画素に対応する領域のうち、前記第１のスリットにより分けられた２つの領域のそれぞれにおいて、１つの前記第２のスリットを有する
前記（７）に記載の表示装置。
【０１４５】
（９）前記第２の電極は、前記単位画素に対応する部分にホールを有し、
前記ドメインは、前記ホールの周りに配置された領域である
前記（２）に記載の表示装置。
【０１４６】
（１０）前記単位画素は単一のドメインを有し、
前記液晶層はＴＮ液晶であり、
前記ドメインは、前記単位画素に対応する領域である
前記（１）に記載の表示装置。
【０１４７】
（１１）前記単位画素は複数のドメインを有し、
前記複数のドメインの面積は、互いにほぼ等しい
前記（１）から（９）のいずれかに記載の表示装置。
【０１４８】
（１２）前記液晶表示部は、複数の画素を有し、
前記画素は、それぞれが複数のサブ画素を有し、
前記サブ画素は、複数の前記単位画素を有する
前記（１）から（１１）のいずれかに記載の表示装置。
【０１４９】
（１３）前記液晶表示部は、複数の画素を有し、
前記画素は、それぞれが複数のサブ画素を有し、
前記サブ画素は、前記単位画素である
前記（１）から（１１）のいずれかに記載の表示装置。
【０１５０】
（１４）前記光線制御部は、光を透過または遮断するバリア部である
前記（１）から（１３）のいずれかに記載の表示装置。
【０１５１】
（１５）前記バリア部は、第１の方向に延伸するとともに第２の方向に交互に並設された、複数の第１系列の液晶バリアおよび複数の第２系列の液晶バリアを有する
前記（１４）に記載の表示装置。
【０１５２】
（１６）第１のモードおよび第２のモードを含む複数の表示モードを有し、
前記第１のモードでは、前記液晶表示部は複数の視点画像を表示し、前記バリア部は、前記複数の第１系列の液晶バリアを透過状態にするとともに、前記複数の第２系列の液晶バリアを遮断状態にすることにより、各視点画像に向かう光線を、それぞれ対応する角度方向に規制するように動作し、
前記第２のモードでは、前記液晶表示部は単一の視点画像を表示し、前記バリア部は、前記複数の第１系列の液晶バリアおよび前記複数の第２系列の液晶バリアを透過状態にすることにより、前記単一の視点画像に向かう光線をそのまま透過させるように動作する
前記（１５）に記載の表示装置。
【０１５３】
（１７）前記複数の第１系列の液晶バリアのそれぞれの幅は、前記第２の方向における前記単位画素のピッチとほぼ等しい
前記（１５）または（１６）に記載の表示装置。
【０１５４】
（１８）複数の単位画素にそれぞれ対応づけられた第１の電極と、液晶層と、前記液晶層を挟んで前記第１の電極とは反対側に設けられた第２の電極とを有する液晶表示部と、
バックライトと、
前記液晶表示部と前記バックライトとの間に挿入された光線制御部と
を備え、
前記第１の電極は、前記単位画素のそれぞれにおいて一様に形成され、
前記第２の電極は、前記単位画素に対応する部分にホールを有する
表示装置。
【０１５５】
（１９）表示装置と
前記表示装置を利用した動作制御を行う制御部と
を備え、
前記表示装置は、
複数の単位画素にそれぞれ対応づけられた第１の電極と、液晶層と、前記液晶層を挟んで前記第１の電極とは反対側に設けられた第２の電極とを有する液晶表示部と、
バックライトと、
前記液晶表示部と前記バックライトとの間に挿入された光線制御部と
を有し、
各単位画素は、液晶配向が互いに異なる複数のドメイン、または単一のドメインを有し、
前記第１の電極は、前記複数のドメインのそれぞれまたは前記単一のドメインにおいて一様に形成されている
電子機器。
【符号の説明】
【０１５６】
１〜５…立体表示装置、１０…バリア部、１１，１２，１２Ａ〜１２Ｄ…開閉部、２０，６０，７０，８０，９０…表示部、３０…バックライト、４０…制御部、４１…バリア駆動部、４３…バックライト駆動部、５０…表示駆動部、５１…タイミング制御部、５２…ゲートドライバ、５３…データドライバ，５４Ａ，５４Ｂ…ＬＵＴ、８１，８２…幹部分、８３…枝部分、９１〜９４…枝領域、２００…液晶層、２１０…駆動基板、２１１，２２１…透明基板、２１２…画素電極、２１３，２２３…配向膜、２１４，２２４…偏光板、２２０…対向基板、２２２…対向電極、３１０…駆動基板、３１１…絶縁層、３１２…透明電極、３１３…配向膜、３２０…対向基板、３２３…配向膜、４１２…画素電極、４２２…対向電極、５２２…対向電極、６００…液晶層、６１０…駆動基板、６１２…画素電極、６１３…配向膜、６２０…対向基板、６２３…配向膜、ＢＭ…ブラックマトリクス、ＣｓＡ，ＣｓＢ…保持容量素子、ＣＳＬ…保持容量線、Ｄ１〜Ｄ４…ドメイン、ＧＣＬＡ，ＧＣＬＢ…ゲート線、ＨＬ…ホール、ＬＣＡ，ＬＣＢ…液晶素子、Ｌ１〜Ｌ３…光、ＭＡ，ＭＢ…モアレ、ＭＭ…モアレ変調度、ＰＡ，ＰＢ…サブ画素部分、Ｐix…画素、ＰＳ…サブ画素ピッチ、Ｐ１〜Ｐ８…画素情報、Ｓdisp，Ｓdisp2，Ｓdisp3…映像信号、ＳＰix…サブ画素、ＳＧＬ…データ線、ＳＬ３，ＳＬ４…スリット、ＴｒＡ，ＴｒＢ…ＴＦＴ素子、Ｗ１１，Ｗ１２…幅。
【図１】
2014016417.tif 000003
【図２】
2014016417.tif 000004
【図３】
2014016417.tif 000005
【図４】
2014016417.tif 000006
【図５】
2014016417.tif 000007
【図６】
2014016417.tif 000008
【図７】
2014016417.tif 000009
【図８】
2014016417.tif 000010
【図９】
2014016417.tif 000011
【図１０】
2014016417.tif 000012
【図１１】
2014016417.tif 000013
【図１２】
2014016417.tif 000014
【図１３】
2014016417.tif 000015
【図１４】
2014016417.tif 000016
【図１５】
2014016417.tif 000017
【図１６】
2014016417.tif 000018
【図１７】
2014016417.tif 000019
【図１８】
2014016417.tif 000020
【図１９】
2014016417.tif 000021
【図２０】
2014016417.tif 000022
【図２１】
2014016417.tif 000023
【図２２】
2014016417.tif 000024
【図２３】
2014016417.tif 000025
【図２４】
2014016417.tif 000026
【図２５】
2014016417.tif 000027
【図２６】
2014016417.tif 000028
【図２７】
2014016417.tif 000029
【図２８】
2014016417.tif 000030
【図２９】
2014016417.tif 000031
【図３０】
2014016417.tif 000032
【図３１】
2014016417.tif 000033
【図３２】
2014016417.tif 000034
【図３３】
2014016417.tif 000035
【図３４】
2014016417.tif 000036
【図３５】
2014016417.tif 000037